【手続補正書】
【提出日】平成21年12月18日(2009.12.18)
【手続補正１】
【補正対象書類名】特許請求の範囲
【補正対象項目名】全文
【補正方法】変更
【補正の内容】
【特許請求の範囲】
【請求項１】
アクセスポイント及びクライアント装置を有するインフラストラクチャネットワークにおけるマスタ装置における方法であって、各クライアント装置が、グローバルクロック及びローカルクロックを有し、前記グローバルクロックのそれぞれが同期され、前記方法が、
前記マスタ装置に含まれるマスタローカルクロックを、マスタローカルクロックカウンタ値を得るために読み取るステップと、
前記マスタ装置に含まれるマスタグローバルクロックを、前記読み取られたマスタローカルクロックカウンタ値に対応するマスタグローバルクロック値を得るために読み取るステップと、
少なくとも１つのスレーブ装置にデータを送信するステップであって、前記データが、受信側のスレーブ装置に、前記マスタローカルクロックの周波数と、前記対応するマスタグローバルクロック周波数との関係を決定するために十分なデータであり、各スレーブ装置がクライアント装置であり、再生ユニットである受信側のクライアント装置の各々が、前記受信されたデータ、前記受信側の再生ユニットのローカルクロックに従う前記ローカル時刻、及び、前記受信側の再生ユニットのグローバルクロック値を利用して、前記スレーブ装置のローカルクロックの周波数を、前記マスタ装置のローカルクロック周波数に同期させるように調整することができ、それにより、前記調整されたローカルクロックが、周波数が前記マスタ装置のローカルクロックに同期された、調整されたローカルクロック信号を提供するステップと、を含み、
前記受信側の再生ユニットが、前記調整されたローカルクロック信号から導出された信号によりクロッキングされ且つアナログ音声データを発生するように動作するデジタル−アナログ変換器と、音声再生を行うように動作する１以上の要素とを含む、方法。
【請求項２】
前記スレーブ装置のローカルクロック周波数の前記調整が、制御信号を信号制御発振器に与えることにより行われる、請求項１に記載の方法。
【請求項３】
前記スレーブ装置のローカルクロックの周波数の前記調整が、制御信号を信号制御発振器に与えて前記周波数を変更することにより行われ、前記制御信号が、前記マスタローカルクロックと前記調整されたクライアントローカルクロックとの周波数差を、前記マスタローカルクロックと前記調整されたクライアントローカルクロックとの周波数差の平均値が、予め画定された閾値を下回るまで示し、その後、デジタル位相同期ループを、前記調整されたローカルクロック信号の前記位相を前記マスタ装置のローカルクロックに同期させるために作動させる、請求項１に記載の方法。
【請求項４】
前記アクセスポイントが前記マスタ装置である、請求項１に記載の方法。
【請求項５】
前記マスタ装置が前記アクセスポイントのクライアント装置である、請求項１に記載の方法。
【請求項６】
１以上のビーコンフレーム又はプローブ応答フレームを、インフラストラクチャネットワークのアクセスポイントから受信し、前記アクセスポイントのクライアント装置のグローバルクロックを、前記アクセスポイントのグローバルクロックに同期させるステップと、
アクセスポイントの前記グローバルクロックに合致するグローバルクロックを有するマスタ装置により送信されたデータを受信するステップであって、前記受信されたデータが、前記マスタ装置に含まれるマスタローカルクロックを読み取ることにより得られるマスタローカルクロックカウンタの周波数と、前記読み取られたマスタローカルクロックカウンタ値に対応する、前記マスタ装置の前記グローバルクロックを読み取ることにより得られるマスタグローバルクロック値の周波数との関係を決定するのに十分なデータを含むステップと、
クライアントローカルクロックの値を読み取り、且つ、前記クライアントグローバルクロックの値を適宜読み取るステップと、
前記クライアント装置のローカルクロックの周波数を、前記マスタローカルクロックの周波数に同期された、調整されたクライアントローカルクロック信号を得るために調整し、それにより、前記調整されたローカルクロック信号がマスタ装置のマスタローカルクロックと同期されるステップとを含み、
クライアント装置の各々が、それぞれのデジタル−アナログ変換器を含み、前記デジタル−アナログ変換器が、それぞれの前記調整されたクライアントローカルクロック信号から導出された信号によりクロッキングされ、且つ、アナログ音声データを発生するように動作し、前記クライアント装置の各々が、さらに、音声再生を行うように動作する１以上の要素を含む、方法。
【請求項７】
インフラストラクチャネットワークの１つのノードの、前記インフラストラクチャネットワークの一連のノードに対する局所同期化を行う方法であって、
前記インフラストラクチャネットワークを介して定期的に伝送される、グローバル時刻関数の現在の値を読み取るステップと、
前記ネットワークノードの内部に設けられたクロックのローカルクロックカウンタ値を読み取るステップと、
ローカルクロックカウンタにおける変化を、グローバルクロックカウンタにおける対応する変化で割ることにより得られる現在のノードローカル比率を計算するステップと、
前記ネットワーク内の他のノードに限定的であるような、ネットワークの対応するローカル比率を受信するステップと、
前記ローカルクロック速度を、前記ネットワークローカル比率の値と前記現在のノードローカル比率の値との比較に応じて調整するステップとを含み、
前記ノードがラウドスピーカを含み、且つ、前記ラウドスピーカを通して音声を再生するように動作する、方法。
【請求項８】
速度同期化をもたらす方法であって、
インフラストラクチャネットワークの、音声再生のためのラウドスピーカを含むノードが、ローカルクロック速度を有する内部ローカルクロックカウンタを用い、且つ、グローバル伝送時刻関数にアクセスするステップと、
予め決められた時刻にて、前記ノードが、ローカルクロックカウンタにおける変化を、グローバルクロックカウンタにおける対応する変化で割ることにより得られるローカル比率を計算するステップと、
前記ノードが前記ノードのローカル比率を１以上の他のモードと交換するステップと、
前記ノードが、前記他のノードのローカル比率を平均して平均ローカル比率を生成するステップと、
前記ノードが前記ノードのローカルクロック速度を、前記ノードのローカル比率と前記平均ローカル比率との比較に応じて調整するステップとを含む、方法。
【請求項９】
デジタルオーディオソース装置に接続されたマスタ装置における方法であり、前記デジタルオーディオソース装置が、オーディオデータをマスタ装置にソース装置の速度で配信するように動作可能であり、マスタ装置が、アクセスポイントを含むインフラストラクチャネットワーク内にあり、前記アクセスポイントが、ビーコンフレーム又はプローブ応答フレームを、グローバルクロック及びローカルクロックを有する少なくとも１つのクライアント装置が前記クライアント装置のグローバルクロックを同期させることを可能にするために伝送する方法であって、
前記マスタ装置に含まれるマスタローカルクロックの速度に対する第１の速度を導出するステップであって、前記第１速度が、前記マスタ装置のマスタローカルクロック速度に対する前記ソース装置の速度であり、
前記マスタローカルクロック速度を、前記第１速度と前記マスタローカルクロック速度との相対差に応じて調整するステップと、
マスタローカルクロックカウンタ値を得るために前記マスタローカルクロックを読み取るステップと、
前記読み取られたマスタローカルクロックカウンタ値に対応するマスタグローバルクロック値を得るために、マスタ装置に含まれるマスタグローバルクロックを読み取るステップと、
前記マスタ装置が、データを、前記アクセスポイントのクライアント装置である少なくとも１つのスレーブ装置に送信するステップであって、前記送信されたデータが、受信側のスレーブ装置に、前記マスタローカルクロックの読み取り値と前記対応するマスタグローバルクロックの読み取り値との差を決定するのに十分なデータを提供し、受信側の再生ユニットの各々が、前記受信されたデータと、前記受信されたデータの、前記受信側の再生ユニットのローカルクロックに従う受信時刻と、前記受信側の再生ユニットのローカルグローバルクロックカウンタ値とを用いて、スレーブ装置のローカルクロックの周波数を、前記マスタローカルクロックに、前記ソース装置の速度に同期させるように調整することができ、それにより、前記調整されたローカルクロックが前記ソース装置の速度に同期されるステップと、を含み、
前記スレーブ装置がラウドスピーカを含み、且つ、前記ラウドスピーカを通して音声を再生するように動作する、方法。
【請求項１０】
マスタグローバルクロックと、
前記マスタグローバルクロックに接続されたトランシーバであって、インフラストラクチャネットワークのアクセスポイント又はクライアント装置として動作可能であり、さらに、アクセスポイントである場合には、ビーコンフレーム又はプローブ応答フレームを、クライアントグローバルクロックを有するクライアント装置がクライアント装置のグローバルクロックをマスタグローバルクロックに同期させるように送信するように動作可能なトランシーバと、
マスタローカルクロックカウンタ値を提供するように構成されたマスタローカルクロックと、
前記トランシーバ、マスタローカルクロック、及びマスタグローバルクロックに接続された論理回路であって、前記論理回路が、マスタローカルクロックが読み取られるときに、前記マスタグローバルクロックに、対応するマスタグローバルクロック値を提供させるように構成されており、前記論理回路が、さらに、トランシーバに、少なくとも１つのスレーブ装置にデータを送信させるように構成されており、前記データが、受信側スレーブ装置が、前記マスタローカルクロック読み取り値と、対応するマスタグローバルクロック読み取り値との差を決定するのに十分であり、それにより、再生ユニットである受信側スレーブ装置の各々が、前記受信されたデータ、受信側の再生ユニットのローカルクロック、及び、受信側の再生ユニットのローカルグローバル読み取り値を用いて、スレーブ装置のローカルクロック周波数を前記マスタローカルクロックに同期させるように調整することができ、それにより、前記調整されたローカルクロックが前記マスタのローカルクロックに同期される論理回路とを含み、
各スレーブ装置が再生ユニットであり、それぞれのラウドスピーカを含み、且つ、前記それぞれのラウドスピーカを通して音声を再生するように動作可能である、装置。
【請求項１１】
グローバルクロックと、
前記グローバルクロックに接続されたトランシーバであって、インフラストラクチャネットワークのアクセスポイントのクライアント装置として動作可能であり、さらに、１以上のビーコンフレーム又はプローブ応答フレームを前記アクセスポイントから受信するように動作可能であり、さらに、前記グローバルクロックを前記インフラストラクチャネットワーク内のマスタ装置のマスタグローバルクロックに同期させるように動作可能であるトランシーバと、
ローカルクロックと、
前記トランシーバ、前記グローバルクロック、及び前記ローカルクロックに接続された論理回路であって、前記論理回路が、前記トランシーバを介して、前記マスタ装置により伝送されたデータを受信するように動作可能であり、前記データが、マスタ装置内に含まれたマスタローカルクロックを読み取ることにより得られるマスタローカルクロックカウンタ値と、前記読み取られたマスタローカルクロックカウンタ値に対応するマスタグローバルクロック値との差を決定するのに十分なデータを含み、前記マスタグローバルクロック値が、前記マスタ装置の前記グローバルクロックを読み取ることにより得られ、前記論理回路が、さらに、クライアントローカルクロックの値を読み取り、且つ、クライアントグローバルクロックの値を読み取り、且つ、前記クライアント装置のローカルクロックの周波数を調整して、前記マスタローカルクロックに同期された、調整されたクライアントローカルクロック信号を得るように動作可能であり、それにより、前記調整されたローカルクロック信号が前記マスタ装置のマスタローカルクロックに同期される論理回路と、を含み、
前記トランシーバに接続され、且つ、音声信号を、ラウドスピーカを通した再生のために増幅させるように動作する増幅器と、を含む、装置。